(57)【要約】【課題】従来のセキュリティシステムに比較して、セキュリティレベルが格段に向上したセキュリティシステムを提供すること。【解決手段】本発明のセキュリティシステムは、専用カード（１７，２０）とセキュリティ保護される装置（１０，  ３１）とからなる。専用カード（１７，  ２０）は、ユーザーを識別するデータが含まれている集積回路とアンテナとを有するタグ（２１）と、偏光フィルター（１９）を有する。セキュリティ保護される装置（１０，  ３１）は、タグ（２１）内の前記データを読み込むためのリーダライター（２３）と、その液晶画面が、動作中、肉眼では見えないが、前記偏光フィルター（１９）を介することにより、その画面の表示を見ることが出来る、タッチパネル部（２９）を備えた特殊液晶画面（２５）とを有する。リーダライター（２３）により読み込まれたデータによってユーザーが正規のユーザーであることが判明した場合にのみ、特殊液晶画面（２５）の電源はオンになる。ユーザは、その電源がオンになった特殊液晶画面（２５）のタッチパネル部（２９）により、秘密コードを入力して、セキュリティ保護される装置（１０，  ３１）を動作させる。【選択図】    図１Ａ
2004308337.tif 000002
【特許請求の範囲】
【請求項１】
ユーザーを識別するデータが含まれている集積回路とアンテナとを有するタグ（２１）、および偏光フィルター（１９）を有する専用カード（１７）と、
前記タグ（２１）内の前記データを読み込むためのリーダライター（２３）と、その液晶画面が、動作中、肉眼では見えないが、前記偏光フィルター（１９）を介することにより、その画面の表示を見ることが出来る、タッチパネル部（２９）を備えた特殊液晶画面（２５）とを有する、セキュリティ保護される装置（１０，  ３１）と、
を有する、セキュリティシステムであって、
前記リーダライター（２３）により読み込まれた前記データによって前記ユーザーが正規のユーザーであることが判明した場合にのみ、前記特殊液晶画面（２５）の電源をオンにし、
前記ユーザが、その電源がオンになった前記特殊液晶画面（２５）の前記タッチパネル部（２９）により、秘密コードを入力して、前記装置（１０，  ３１）を動作させる、セキュリティシステム。
【請求項２】
前記装置が、扉と前記扉を開閉する開閉部（１５）とを有するロッカー（１１）と、前記ロッカー（１１）の前記開閉部（１５）を制御する制御部（１３）とを有するロッカー装置（１０）である請求項１に記載のセキュリティシステム。
【請求項３】
前記装置が、札取出し口（３３）と、通帳挿入口（３７）と、硬貨取出し口（３５）とを有する現金自動支払預入装置（３１）である請求項１に記載のセキュリティシステム。
【請求項４】
データリーク防止ソフトを用いた前記ユーザーを特定する質問により、前記ユーザーが正規のユーザーであるか否かを判断する前記請求項の何れかに記載のセキュリティシステム。
【請求項５】
前記リーダライター（２３）が、ＲＦＩＤにより前記タグ（２１）内の前記データを読み込む前記請求項の何れかに記載のセキュリティシステム。
【請求項６】
請求項１に記載のセキュリティシステムを使用する入退出者管理システム。
【発明の詳細な説明】
【０００１】
【発明の属する技術分野】
本発明は、貴重品ロッカーシステム、宅配ボックス、現金自動支払預入装置、特定者入場許可システムなどに使用されるセキュリティシステムに関する。
【０００２】
【従来の技術】
特開平０６−３３６８６６には、ゴルフ場などに設置される貴重品ロッカー装置が開示されている。ゴルフ場の受付で、ユーザーには、精算カードが渡される。ユーザーは、そのカード番号に対応したロッカー番号のロッカーに貴重品を入れた後、カード番号、ロッカー番号および暗証番号を入力して、ロッカーを施錠する。ユーザーが、ロッカーを解錠するには、カード番号、ロッカー番号および暗証番号を再度入力する。精算カードにはロッカー番号が記入されているので、ユーザーは、ロッカー番号を記憶しておいたり、メモしておく必要がない。
【０００３】
特開平０５−３３４５２７には、ユーザーが入力する暗証番号を、他人が見ることが出来ない現金自動支払預入装置などの自動取引装置が開示されている。この自動取引装置においては、ＣＲＴ上にユーザーの目線方向のみに光を通す偏光シートとタッチパネルが設けられているので、ＣＲＴの正面にいるユーザーしか入力画面を見ることは出来ない。
【０００４】
【発明が解決しようとする課題】
特開平０６−３３６８６６のロッカー装置は、カード番号、ロッカー番号および暗証番号と３種類の番号を入力することにより、ユーザーが、ロッカー番号を記憶しておく必要性を無くしているが、ユーザーが、これらの番号を入力している動作を、他人が、双眼鏡などで観察することにより、それらの番号を盗むことは可能である。従って、特開平０６−３３６８６６のロッカー装置のセキュリティレベルは、極めて低いものである。
【０００５】
特開平０５−３３４５２７の自動取引装置の場合、ＣＲＴの画面は、ＣＲＴの正面にいるユーザーにしか見えない。しかしながら、そのユーザーに気づかれないように、そのユーザーの背後に秘密裏に設置した盗撮カメラなどにより、他人が、ユーザーが入力する暗証番号などを盗むことは可能である。従って、特開平０５−３３４５２７の自動取引装置においても、そのセキュリティレベルは満足出来るものではない。
【０００６】
従って、本発明の目的は、従来のセキュリティシステムに比較して、セキュリティレベルが格段に向上したセキュリティシステムを提供することである。
【０００７】
【課題を解決するための手段】
この課題を解決するために、本発明のセキュリティシステムは、ユーザーを識別するデータが含まれている集積回路とアンテナとを有するタグ、および偏光フィルターを有する専用カードと、前記タグ内の前記データを読み込むためのリーダライターと、その液晶画面が、動作中、肉眼では見えないが、前記偏光フィルターを介することにより、その画面の表示を見ることが出来る、タッチパネル部を備えた特殊液晶画面とを有する、セキュリティ保護される装置と、を有し、前記リーダライターにより読み込まれた前記データによって前記ユーザーが正規のユーザーであることが判明した場合にのみ、前記特殊液晶画面の電源をオンにし、前記ユーザが、その電源がオンになった前記特殊液晶画面の前記タッチパネル部により、秘密コードを入力して、前記装置を動作させる。
【０００８】
本発明のセキュリティシステムにおいては、リーダライターにより読み込まれたデータによってユーザーが正規のユーザーであることが判明した場合にのみ、特殊液晶画面の電源はオンになる。従って、正規でないユーザーは、セキュリティ保護される装置を動作させるための情報を入力するタッチパネルを、使用することが出来ないので、この装置の不正使用は防止される。さらに、このセキュリティ保護される装置は、その液晶画面が、動作中、肉眼では見えないが、偏光フィルターを介することにより、その画面の表示を見ることが出来る、特殊液晶を有する。従って、この装置を使用する権限を有しない者が、仮に、何らかの手段により特殊液晶画面の電源をオンさせることが出来たとしても、この特殊液晶画面は、肉眼では見えないので、その者がこの装置を動作させるための情報を入力することは出来ない。また、仮に、この装置を使用する権限を有しない者が、専用カードの偏光フィルターの入手に成功して、それを介して特殊液晶画面の表示を見ることが出来るようになったとしても、その者は、正規の秘密コードを知らないので、この装置を動作させることは出来ない。このように、本発明のセキュリティシステムによれば、セキュリティ保護が必要な装置に、少なくとも三段階のロックを課すことが出来る。
【０００９】
前記装置が、扉と前記扉を開閉する開閉部とを有するロッカーと、前記ロッカーの前記開閉部を制御する制御部とを有するロッカー装置であるセキュリティシステムの場合、そのロッカー装置のセキュリティレベルは、従来のものに比較し、極めて高い。
【００１０】
前記装置が、札取出し口と、通帳挿入口と、硬貨取出し口とを有する現金自動支払預入装置であるセキュリティシステムの場合、そのロッカー装置のセキュリティレベルは、従来のものに比較し、極めて高い。
【００１１】
データリーク防止ソフトを用いた前記ユーザーを特定する質問により、前記ユーザーが正規のユーザーであるか否かを判断するセキュリティシステムは、そのセキュリティレベルが、さらに強化されている。
【００１２】
前記リーダライターが、ＲＦＩＤにより前記タグ内の前記データを読み込むセキュリティシステムは、非接触により専用カード内のデータを読むことが出来る。
【実施例】
実施例１
本発明のセキュリティシステムをロッカー装置に適用した実施例を説明する。このロッカー装置１０は、図１Ａ  に示されているように、２９個のロッカー１１と右端列中央に設けられた制御部１３とからなる。各ロッカー１１には、それぞれの扉に錠をかける開閉部１５が設けられている。図１Ｂには、このロッカー装置１０に使用される専用カード１７が示されている。この専用カード１７には、ＲＦＩＤ  （Ｒａｄｉｏ  Ｆｒｅｑｕｅｎｃｙ  Ｉｄｅｎｔｉｆｉｃａｔｉｏｎ）タグ２１が埋め込まれ、かつ偏光フィルター１９が設けられている。ＲＦＩＤタグ２１は、１０２４バイトの情報を格納できるＩＣメモリと通信回路とからなるＣＭＯＳと、超小型アンテナとから構成されている。その拡大図が図１Ｃに示されている制御部１３は、特殊液晶画面２５を有する。この特殊液晶画面２５には、株式会社ＩＤＫによって製造されている商品名「ＰＰＴディスプレイ  （Ｐｉｃｔｕｒｅ  Ｐｒｏｔｅｃｔ  Ｔｅｃｈｎｏｌｏｇｙ）」の液晶画面が使用されている。この液晶画面は、動作中、肉眼では、真っ白にしか見えないが、専用カード１７の偏光フィルター１９を通すと、その画面の表示を見ることが出来るタイプの液晶画面である。特殊液晶画面２５は、ロッカー装置１０の使用方法などを表示するための情報表示部２７とユーザーがデータを入力するためのタッチパネル部２９とを有している。この構成に代えて、特殊液晶画面２５全体をタッチパネルとし、そして特殊液晶画面２５の一部をロッカー装置１０の使用方法などを表示するための情報表示部とし、かつこの情報表示部を常に肉眼で見える構成を採用しても良い。制御部１３の表面内部には、専用カード１７内のＲＦＩＤタグ２１と無線通信によるデータ交換を行うためのリーダライター２３が埋め込まれている。
【００１３】
次に、実施例１のロッカー装置１０の動作を説明する。このロッカー装置１０を使用する権限が与えられているユーザーには、ロッカー装置１０の管理者から予め専用カード１７が配布されている。特殊液晶画面２５は、通常、その電源がオフになっているので、タッチパネル部２９から情報を入力することは出来ない。ユーザーが、このロッカー装置１０のロッカーに荷物を収納しようとする場合、ユーザーは、専用カード１７を制御部１３にかざす。すると、制御部１３のリーダライター２３が発する長波またはマイクロ波などの電磁波により、ＲＦＩＤタグ２１内のユーザーを識別するデータが読み込まれる。読み込まれたデータにより、このユーザーがロッカー装置１０を使用する権限を有していることが判明した場合、制御部１３のＣＰＵは、その電源をオンさせる信号を特殊液晶画面２５に送る。特殊液晶画面２５の電源がオンになっても、肉眼で見る限り、その画面は真っ白で、その表示内容を見ることは出来ない。そこで、ユーザーは、専用カード１７の偏光フィルター１９を通して、特殊液晶画面２５の表示内容を見る。次いで、ユーザーは、情報表示部２７の指示に従って、タッチパネル部２９により、使用を希望するロッカーの番号、ユーザーのパスワード（秘密コード）などの情報を入力する。入力されたパスワードが、正しい場合、制御部１３のＣＰＵは、ユーザーが希望するロッカーにその扉を開く信号を送る。ユーザーは、扉が開いたロッカーに荷物を収納した後、ロッカーの扉を閉める指令をタッチパネル部２９により入力する。この動作が終了すると、特殊液晶画面２５の電源は、オフになり、タッチパネル部２９からの情報の入力が不可能になる。
【００１４】
ユーザーが、ロッカーに収納した荷物を取り出そうとする場合には、荷物をロッカーに収納したときと同様に、専用カード１７を制御部１３にかざす。すると、ＲＦＩＤタグ２１内のユーザーを識別するデータ（例、登録番号）が、制御部１３のリーダライター２３が発する長波またはマイクロ波などの電磁波により、読み込まれる。そのデータから、ユーザーがこのロッカーを使用する権限を有していることが認識されると、制御部１３のＣＰＵは、その電源をオンさせる信号を特殊液晶画面２５に送る。ユーザーは、専用カード１７の偏光フィルター１９を通して、電源がオンになった特殊液晶画面２５を見る。次いで、ユーザーは、情報表示部２７の指示に従って、タッチパネル部２９により、荷物が収納されているロッカーの番号、ユーザーのパスワードなどの情報を入力する。入力されたパスワード（秘密コード）が、正しい場合、制御部１３のＣＰＵは、荷物が収納されているロッカーにその扉を開く信号を送る。ユーザーは、扉が開いたロッカーから収納していた荷物を取り出すことが出来る。この動作が終了すると、特殊液晶画面２５の電源は、オフになり、タッチパネル部２９からの情報の入力が不可能になる。
【００１５】
このように、本実施例のロッカー装置１０は、少なくとも、三段階のロックを課すことが出来る。制御部１３の特殊液晶画面２５は、通常、その電源がオンしていないので、特殊液晶画面２５には何も表示されていない。従って、このロッカー装置１０のロッカーの扉を開くための情報を入力するタッチパネル２９が、使用不可能であるので、このロッカー装置１０の不正使用は防止される（第一段階のロック）。さらに、ロッカー装置１０を使用する権限を有しない者が、仮に、何らかの手段により特殊液晶画面２５の電源をオンさせることが出来たとしても、この特殊液晶画面２５は、真っ白であるので、その者がロッカーの扉を開くための情報を入力することは出来ない（第二段階のロック）。また、仮に、ロッカー装置１０を使用する権限を有しない者が、この第二段階のロックも破った（つまり、専用カード１７の偏光フィルター１９の入手に成功して、それを介して特殊液晶画面２５の表示を見ることが出来るようになった）としても、その者は、正規のパスワード（秘密コード）を知らないので、ロッカーの扉を開くことは出来ない（第三段階のロック）。さらに、これらの第一〜第三段階のロックに加え、または第三段階のロックにおけるパスワードの登録に代えて、文字化することが困難で、主観的・視覚的なユーザーの昔の記憶に基づく情報により本人を特定するデータリーク防止ソフトを使用することも可能である。このソフトを使用すれば、ユーザー以外の人間が類推することが困難な、画像選択による複数の質問（例、１）昔飼っていたペットの写真、２）好きな花、３）好きな漢字）を登録しておいて、これらの質問が全て正しく応えられない限り、ロッカーの扉を開くための情報を入力する画面が有効にならないようにすることも出来る（第四段階のロック）。
【００１６】
上記実施例１の説明においては、ＲＦＩＤタグ２１内のデータは、長波またはマイクロ波などの電磁波により読み出されている。電磁波によるＲＦＩＤタグ内のデータ読み出しには、４００〜５３０ＫＨｚの電波を使用する電磁結合方式、１２０〜１５０ＫＨｚの電波を使用する電磁誘導方式および２．４５ＧＨｚのマイクロ波を使用するマイクロ波方式がある。マイクロ波方式は、交信距離、交信スピードなどで優れているが、電磁結合方式および電磁誘導方式は、耐水性、耐油性、耐薬品性などで優れている。ＲＦＩＤに代えて、赤外線方式を使用することもできる。この方式は、耐電磁界ノイズ性に優れている。
【００１７】
実施例２
本発明のセキュリティシステムを現金自動支払預入装置に適用した実施例を説明する。この現金自動支払預入装置３１は、図２Ａに示されるように、札取出し口３３と、通帳挿入口３７と、硬貨取出し口３５と、特殊液晶画面２５とを有する。図２Ｂには、この現金自動支払預入装置３１に使用される専用カード２０が示されている。この専用カード２０には、ＲＦＩＤ  タグ２１が埋め込まれ、かつ偏光フィルター１９が設けられている。ＲＦＩＤタグ２１の構成は、実施例１のそれと同一である。図２Ｃには、制御部１３の拡大図が示されている。特殊液晶画面２５の構成は、実施例１のそれと同一である。特殊液晶画面２５は、通常、その電源がオフになっていて、この現金自動支払預入装置３１の使用権限が付与されている専用カード２０が制御部１３の近傍にかざされると、その電源がオンになる。特殊液晶画面２５は、現金自動支払預入装置３１の使用方法などを表示するための情報表示部２７とユーザーがデータを入力するためのタッチパネル部２９とを有している。この構成に代えて、特殊液晶画面２５全体をタッチパネルとし、そして特殊液晶画面２５の一部を現金自動支払預入装置３１の使用方法などを表示するための情報表示部とし、かつこの情報表示部を常に肉眼で見える構成を採用しても良い。特殊液晶画面２５の近傍には、専用カード２０内のＲＦＩＤタグ２１と無線通信によるデータ交換を行うためのリーダライター２３が埋め込まれている。
【００１８】
次に、実施例２の現金自動支払預入装置３１の動作を説明する。この現金自動支払預入装置３１を使用する権限が与えられているユーザーには、銀行から予め専用カード２０が配布されている。ユーザーが、この現金自動支払預入装置３１から現金を引き出そうとする場合、ユーザーは、専用カード２０をリーダライター２３の近傍にかざす。すると、制御部１３のリーダライター２３が発する長波またはマイクロ波などの電磁波により、ＲＦＩＤタグ２１内に格納されている、口座番号、ユーザーを識別するデータが読み込まれる。実施例２で用いられるＲＦＩＤの方式は、実施例１で使用されるものと同一である。読み込まれたこれらのデータにより、このユーザーがこの銀行口座の真のユーザーであることが判明すると、現金自動支払預入装置３１のＣＰＵは、信号を特殊液晶画面２５に送り、その電源をオンにさせる。特殊液晶画面２５の電源がオンになっても、肉眼で見る限り、その画面は真っ白で、その表示内容を見ることは出来ない。ユーザーは、専用カード２０の偏光フィルター１９を通して、特殊液晶画面２５の表示内容を見る。次いで、ユーザーは、情報表示部２７の指示に従って、タッチパネル部２９により、引き下ろしたい現金の額、ユーザーの暗証番号（秘密コード）などの情報を入力する。入力された暗証番号が、正しい場合、現金自動支払預入装置３１のＣＰＵは、ユーザーが希望する額の現金を札取出し口３３と硬貨取出し口３５とに排出させる。ユーザーが、希望する額の現金を札取出し口３３と硬貨取出し口３５ユーザーから取出すと、現金自動支払預入装置３１のＣＰＵは、特殊液晶画面２５の電源をオフにさせる。
【００１９】
このように、本実施例の現金自動支払預入装置３１は、少なくとも、三段階のロックを課すことが出来る。制御部１３の特殊液晶画面２５は、通常、その電源がオンしていないので、特殊液晶画面２５には何も表示されていない。従って、この現金自動支払預入装置３１により自己の口座から情報を入力するタッチパネル２９が、使用不可能であるので、この現金自動支払預入装置３１の不正使用は防止される（第一段階のロック）。さらに、現金自動支払預入装置３１を使用する権限を有しない者が、仮に、何らかの手段により特殊液晶画面２５の電源をオンにすることが出来たとしても、この特殊液晶画面２５は、真っ白であるので、その者が現金を引き出すための情報を入力することは出来ない（第二段階のロック）。また、仮に、現金自動支払預入装置３１を使用する権限を有しない者が、この第二段階のロックも破った（つまり、専用カード２０の偏光フィルター１９の入手に成功して、それを介して特殊液晶画面２５の表示を見ることが出来るようになった）としても、その者は、その口座に対する暗証番号（秘密コード）を知らないので、その口座から現金を引き出すことは出来ない（第三段階のロック）。さらに、実施例１の場合と同様に、第四段階のロックを加え、または第三段階のロックを第四段階のロックにより置き換えることも出来る。
【００２０】
上記実施例２の説明においては、ユーザーが現金自動支払預入装置３１から現金を引き出す操作について、本発明のセキュリティシステムを説明したが、現金の預入、通帳記入、振込などの他の操作に付いても本発明のセキュリティシステムを使用することができることは、明らかである。
【００２１】
以上、本発明のセキュリティシステムは、ロッカー装置と現金自動支払預入装置を具体例にして説明されたが、これが、これらの具体例に限られることはない。例えば、実施例１のロッカー装置のロッカーの扉を、ビルまたは部屋に入るためのゲートまたはドアにより置換すれば、ビルに入退出する人間の管理システム、薬品・医薬が保管されている部屋への入出者の管理システム、貴重本が保管されている部屋への入出者の管理システムなどにも、本発明のセキュリティシステムを使用することが出来ることは、明らかであろう。その他、本発明のセキュリティシステムは、貴重品ボックス、マンションにおける宅配品保管ボックス、鍵保管システムなどにも使用することが出来る。
【００２２】
【発明の効果】
本発明のセキュリティシステムにおいては、リーダライターにより読み込まれたデータによってユーザーが正規のユーザーであることが判明した場合にのみ、特殊液晶画面の電源はオンになる。従って、このロッカー装置などのセキュリティ保護される装置を動作させるための情報を入力するタッチパネルが、正規でないユーザーに対しては使用不可能であるので、この装置の不正使用は防止される（第一段階のロック）。さらに、この装置を使用する権限を有しない者が、仮に、何らかの手段により特殊液晶画面の電源をオンさせることが出来たとしても、この特殊液晶画面は、真っ白であるので、その者がこの装置を動作させるための情報を入力することは出来ない（第二段階のロック）。また、仮に、この装置を使用する権限を有しない者が、この第二段階のロックも破った（つまり、専用カードの偏光フィルターの入手に成功して、それを介して特殊液晶画面の表示を見ることが出来るようになった）としても、その者は、正規のパスワードを知らないので、この装置を動作させることは出来ない（第三段階のロック）。このように、本発明のセキュリティシステムによれば、セキュリティ保護が必要な装置に少なくとも三段階のロックを課すことが出来るので、装置のセキュリティレベルは、従来のものに比較し格段に向上する。
【図面の簡単な説明】
【図１Ａ】本発明のセキュリティシステムを適用したロッカー装置を示す。
【図１Ｂ】本発明のセキュリティシステムに使用される専用カードを示す。
【図１Ｃ】ロッカー装置の制御部の拡大図である。
【図２Ａ】本発明のセキュリティシステムを適用した現金自動支払預入装置を示す。
【図２Ｂ】本発明のセキュリティシステムに使用される専用カードを示す。
【図２Ｃ】現金自動支払預入装置の特殊液晶画面を示す。
【符号の説明】
１０…ロッカー装置
１１…ロッカー
１３…制御部
１５…開閉部
１７…専用カード
１９…偏光フィルター
２０…専用カード
２１…ＦＲＩＤタグ
２３…リーダライタ
２５…特殊液晶画面
２７…情報表示部
２９…タッチパネル部
３１…現金自動支払預入装置
３３…札取出し口
３５…硬貨取出し口
３７…通帳挿入口
【図１Ａ】
2004308337.tif 000003
【図１Ｂ】
2004308337.tif 000004
【図１Ｃ】
2004308337.tif 000005
【図２Ａ】
2004308337.tif 000006
【図２Ｂ】
2004308337.tif 000007
【図２Ｃ】
2004308337.tif 000008